(57)【要約】【課題】構造が簡単であり、省力化が可能であり、利用が容易なシリコーンガンを提供する。【解決手段】第１端と、第２端と、を有し、操作部を含み、操作部の第２端に近接する箇所には、下方に延びるハンドルが設けられている本体と、第１端と第２端との繋ぎ線の方向に沿って操作部を挿通し、第１端に近接する一端は、シリコーン円筒内のシリコーンを押さえる押さえロッドと、操作部の内部に位置し、第１弾性部材の弾力を受けて第２端へ付勢され、第１貫通孔が形成されている押さえブロックと、前リンクと、後リンクと、を含み、後リンクの一端は操作部の第２端に近接する箇所に枢着されており、前リンクの一端は後リンクに枢着されているリンクセットと、その一端が押圧端であり、他端が押さえ端であり、押圧端と押さえ端との間の押さえ端に近接する箇所に操作部が枢着されているトリガーと、を含む。【選択図】図１
2017154045.tif 000002
【特許請求の範囲】
【請求項１】
第１端と、第２端と、を有し、操作部を含み、前記操作部の前記第２端に近接する箇所には、下方に延びるハンドルが設けられている本体と、
前記第１端と前記第２端との繋ぎ線の方向に沿って前記操作部を挿通し、前記第１端に近接する一端は、シリコーン円筒内のシリコーンを押さえる押さえロッドと、
前記操作部の内部に位置し、第１弾性部材の弾力を受けて前記第２端へ付勢され、第１貫通孔が形成されており、前記第１貫通孔の内径は、前記押さえロッドの外径より大きく、前記押さえロッドは前記第１貫通孔を挿通し、前記第２端に向く面は押付け部を有し、前記押付け部は前記第１貫通孔の下方に位置する押さえブロックと、
前リンクと、後リンクと、を含み、前記後リンクの一端は前記操作部の前記第２端に近接する箇所に枢着されており、前記前リンクの一端は前記後リンクに枢着されており、前記前リンクの前記後リンクから離れる一端は前記押さえブロックの前記押付け部に押付けるリンクセットと、
その一端が押圧端であり、他端が押さえ端であり、前記押圧端は、前記押さえ端より前記操作部との距離が大きく、前記押さえ端は前記操作部に延び込み、前記押圧端と前記押さえ端との間の前記押さえ端に近接する箇所に前記操作部が枢着されており、前記押さえ端は、前記前リンクと前記後リンクとの枢着箇所を駆動して上方へ移動可能であるトリガーと、を含み、
前記トリガーの前記押圧端が前記ハンドルへ押圧されるときには、前記押さえ端が前記前リンクと前記後リンクとの枢着箇所を上方へ押さえて、前記前リンクは、前記第１端へ前記押さえブロックの前記押付け部を押さえて、前記押さえブロックの前記押さえロッドに対する傾斜度が増加して、前記押さえロッドが前記第１貫通孔に位置決められ、前記トリガーをもっと押圧すると、前記押さえブロックはもっと前記第１端へ移動して、前記押さえロッドが駆動されて前記第１端へ移動することを特徴とする、
シリコーンガン。
【請求項２】
前記第１弾性部材は、前記押さえブロックの前記第１端に向く面と前記操作部との間に押付け、前記リンクセットは、更に、押さえホイールを含み、前記押さえホイールは、前記前リンクと前記後リンクとの枢着箇所に設けられており、前記トリガーの前記押さえ端は前記押さえホイールに押付け、前記前リンクの前記後リンクから離れる一端は横軸を有し、前記押さえブロックの前記押付け部は溝であり、前記横軸は前記溝と嵌合することを特徴とする、請求項１に記載のシリコーンガン。
【請求項３】
前記前リンクと前記後リンクとは、開角を有し、前記開角の開口が上方に向き、前記後リンクは、枢着軸を介して前記操作部の前記第２端に近接する箇所に枢着されており、前記トリガーが押圧されて前記押さえホイールが上方へ押さえられるときに、前記枢着軸と前記横軸との間の距離が増加し、前記前リンクと前記後リンクとの前記開角が増大することを特徴とする、請求項２に記載のシリコーンガン。
【請求項４】
前記トリガーが押圧されないときには、前記開角が９０〜１２０度範囲であることを特徴とする、請求項３に記載のシリコーンガン。
【請求項５】
更に、規制部材を含み、前記規制部材は、前記本体の前記第２端の端部外に設けられており、条件により前記押さえロッドの前記第２端への引きを制限し、前記規制部材は第２貫通孔を有し、前記押さえロッドは前記第２貫通孔を挿通し、前記第２貫通孔の内径は前記押さえロッドの外径より大きく、前記規制部材と前記操作部との間に第２弾性部材が挟まれており、前記規制部材は、上端が前記本体に規制され、下端が揺動可能であり、前記第２弾性部材により、前記規制部材の下端が付勢されて前記本体から離れ、前記規制部材の下端が前記本体へ押圧されないときに、前記第２貫通孔は前記押さえロッドに対して傾斜し、前記押さえロッドが前記第２貫通孔に規制され、前記規制部材の下端が前記本体へ押圧されたと、前記第２貫通孔の前記押さえロッドに対する傾斜度が減少して、前記押さえロッドが前記第２貫通孔に規制されなくなることを特徴とする、請求項１に記載のシリコーンガン。
【請求項６】
前記規制部材の前記第２貫通孔の前記本体に近接する一端の開口の内径は、前記本体から離れる一端の開口の内径より大きく、前記規制部材が押圧されないときに、前記押さえロッドは、前記押さえブロックに駆動されて前記第１端へ移動し、前記第２端へ移動できないことを特徴とする、請求項５に記載のシリコーンガン。
【請求項７】
前記操作部の前記第２端に近接する箇所に止め部材が設けられており、前記止め部材は前記押さえブロックの上端に押付け、これにより、前記押さえブロックの上端は、前記第１弾性部材に過度に押さえられて前記第２端へ移動できないことを特徴とする、請求項１から６のうちの何れかの１項に記載のシリコーンガン。
【請求項８】
前記前リンクと前記後リンクとは、二つのサイド部と、二つの前記サイド部を連接するブリッジ部と、からそれぞれ構成されることを特徴とする、請求項１から６のうちの何れかの１項に記載のシリコーンガン。
【請求項９】
前記押さえロッドは、前記第１弾性部材と前記第２弾性部材とを挿通することを特徴とする、請求項１から６のうちの何れかの１項に記載のシリコーンガン。
【請求項１０】
側面から見れば、前記操作部はほぼコ字形を呈し、前記操作部の前記第１端に近接する箇所での下端と前記ハンドルの上端との間に開口が形成されており、前記操作部の前記第１端に近接する箇所での下端と前記ハンドルの上端との間は、連接片によって連接し、前記トリガーは前記連接片に枢着されていることを特徴とする、請求項１から６のうちの何れかの１項に記載のシリコーンガン。
【発明の詳細な説明】
【技術分野】
【０００１】
本発明は、シリコーンガンに関するものである。
【背景技術】
【０００２】
シリコーンガンは、シリコーン円筒内のシリコーンを段階的に押し出すためのものである。従来のシリコーンガンは、例えば特許文献１の台湾実用新案Ｍ４０６４６９号または特許文献２の米国ＵＳ６，６４０，９９８号に開示したように、押さえブロックにリンクセットを合わせ、リンクセットがトリガーと連接し、トリガーを押圧すると、リンクが押さえブロックを押さえて押さえロッドを前へ移動する。トリガーはリンクセットのうちの一つのリンクに枢着されているため、トリガーが押圧されて旋回すると、リンクセットが駆動されて作動する。
【０００３】
しかしながら、リンクセットとトリガーとから構成されるリンク機構は、トリガーの揺動幅と位置とに制限されて、リンクの設計と作動軌跡とが制限される。最も重要なのは、リンク機構全体の作動方式が活動スペースと力を加える方向との影響を受けて、トリガーを押圧する力の少なくない一部は、リンクの複雑な相対的作動における無駄な分力に消耗されるため、より大きい力を加えないと、押さえロッドを前へ移動することができない。
【０００４】
一方、このようなリンクシステムは、複雑であり、製造及び組付けが難しく、長期間利用されると、錆などが原因で、リンク同士の枢着箇所は旋回し難く、又は旋回できないことがある。
【先行技術文献】
【特許文献】
【０００５】
【特許文献１】台湾実用新案Ｍ４０６４６９号公報
【特許文献２】米国ＵＳ６，６４０，９９８号公報
【発明の概要】
【発明が解決しようとする課題】
【０００６】
本発明の主な目的は、構造が簡単であり、省力化が可能であり、利用が容易となるシリコーンガンを提供することにある。
【課題を解決するための手段】
【０００７】
本発明のシリコーンガンは、第１端と、第２端と、を有し、操作部を含み、操作部の第２端に近接する箇所には、下方に延びるハンドルが設けられている本体と、第１端と第２端との繋ぎ線の方向に沿って操作部を挿通し、第１端に近接する一端は、シリコーン円筒内のシリコーンを押さえる押さえロッドと、操作部の内部に位置し、第１弾性部材の弾力を受けて第２端へ付勢され、第１貫通孔が形成されており、第１貫通孔の内径は、押さえロッドの外径より大きく、押さえロッドは第１貫通孔を挿通し、第２端に向く面は押付け部を有し、押付け部は第１貫通孔の下方に位置する押さえブロックと、前リンクと、後リンクと、を含み、後リンクの一端は操作部の第２端に近接する箇所に枢着されており、前リンクの一端は後リンクに枢着されており、前リンクの後リンクから離れる一端は押さえブロックの押付け部に押付けるリンクセットと、その一端が押圧端であり、他端が押さえ端であり、押圧端は、押さえ端より操作部との距離が大きく、押さえ端は操作部に延び込み、押圧端と押さえ端との間の押さえ端に近接する箇所に操作部が枢着されており、押さえ端は、前リンクと後リンクとの枢着箇所を駆動して上方へ移動可能であるトリガーと、を含み、トリガーの押圧端がハンドルへ押圧されるときには、押さえ端が前リンクと後リンクとの枢着箇所を上方へ押さえて、前リンクは、第１端へ押さえブロックの押付け部を押さえて、押さえブロックの押さえロッドに対する傾斜度が増加して、押さえロッドが第１貫通孔に位置決められ、トリガーをもっと押圧すると、押さえブロックはもっと第１端へ移動して、押さえロッドが駆動されて第１端へ移動することを特徴とする。
【０００８】
本発明のシリコーンガンは、第１弾性部材は、押さえブロックの第１端に向く面と操作部との間に押付け、リンクセットは、更に、押さえホイールを含み、押さえホイールは、前リンクと後リンクとの枢着箇所に設けられており、トリガーの押さえ端は押さえホイールに押付け、前リンクの後リンクから離れる一端は横軸を有し、押さえブロックの押付け部は溝であり、横軸は溝と嵌合することを特徴とする。
【０００９】
本発明のシリコーンガンは、前リンクと後リンクとは、開角を有し、開角の開口が上方に向き、後リンクは、枢着軸を介して操作部の第２端に近接する箇所に枢着されており、トリガーが押圧されて押さえホイールが上方へ押さえられるときに、枢着軸と横軸との間の距離が増加し、前リンクと後リンクとの開角が増大することを特徴とする。
【００１０】
本発明のシリコーンガンは、トリガーが押圧されないときには、開角が９０〜１２０度範囲であることを特徴とする。
【００１１】
本発明のシリコーンガンは、更に、規制部材を含み、規制部材は、本体の第２端の端部外に設けられており、条件により押さえロッドの第２端への引きを制限し、規制部材は第２貫通孔を有し、押さえロッドは第２貫通孔を挿通し、第２貫通孔の内径は押さえロッドの外径より大きく、規制部材と操作部との間に第２弾性部材が挟まれており、規制部材は、上端が本体に規制され、下端が揺動可能であり、第２弾性部材により、規制部材の下端が付勢されて本体から離れ、規制部材の下端が本体へ押圧されないときに、第２貫通孔は押さえロッドに対して傾斜し、押さえロッドが第２貫通孔に規制され、規制部材の下端が本体へ押圧されたと、第２貫通孔の押さえロッドに対する傾斜度が減少して、押さえロッドが第２貫通孔に規制されなくなることを特徴とする。
【００１２】
本発明のシリコーンガンは、規制部材の第２貫通孔の本体に近接する一端の開口の内径は、本体から離れる一端の開口の内径より大きく、規制部材が押圧されないときに、押さえロッドは、押さえブロックに駆動されて第１端へ移動し、第２端へ移動できないことを特徴とする。
【００１３】
本発明のシリコーンガンは、操作部の第２端に近接する箇所に止め部材が設けられており、止め部材は押さえブロックの上端に押付け、これにより、押さえブロックの上端は、第１弾性部材に過度に押さえられて第２端へ移動できないことを特徴とする。
【００１４】
本発明のシリコーンガンは、前リンクと後リンクとは、二つのサイド部と、二つのサイド部を連接するブリッジ部と、からそれぞれ構成されることを特徴とする。
【００１５】
本発明のシリコーンガンは、押さえロッドは、第１弾性部材と第２弾性部材とを挿通することを特徴とする。
【００１６】
本発明のシリコーンガンは、側面から見れば、操作部はほぼコ字形を呈し、操作部の第１端に近接する箇所での下端とハンドルの上端との間に開口が形成されており、操作部の第１端に近接する箇所での下端とハンドルの上端との間は、連接片によって連接し、トリガーは連接片に枢着されていることを特徴とする。
【発明の効果】
【００１７】
本発明のシリコーンガンは、構造が簡単であり、省力化が可能であり、利用が容易となるという効果を有する。
【図面の簡単な説明】
【００１８】
【図１】本発明の第１実施形態に係るシリコーンガンを示す斜視図である。
【図２】本発明の第１実施形態に係るシリコーンガンを別の視点から見た斜視図である。
【図３】本発明の第１実施形態に係るシリコーンガンを示す分解斜視図である。
【図４】本発明の第１実施形態に係るシリコーンガンを示す断面図である。
【図５】本発明の第１実施形態に係るトリガーが押圧された状態を示す断面図である。
【図６】本発明の第１実施形態に係る規制部材が押圧された状態を示す断面図である。
【図７】本発明の第２実施形態に係るシリコーンガンを示す斜視図である。
【図８】本発明の第２実施形態に係るシリコーンガンを示す分解斜視図である。
【図９】本発明の第２実施形態に係るシリコーンガンを示す断面図である。
【発明を実施するための形態】
【００１９】
以下、本発明の実施の形態を図面に基づいて説明する。
【００２０】
（第１の実施形態）
図１から図５を参照する。本実施形態に係るシリコーンガンは、本体１０と、押さえロッド２０と、押さえブロック３０と、リンクセット４０と、トリガー５０と、規制部材６０と、を含む。
【００２１】
本体１０は、第１端と、第２端と、を有し、操作部１１を含む。操作部１１の前記第２端に近接する箇所には、下方に延びるハンドル１２が設けられている。本実施形態では、側面から見れば、操作部１１がほぼコ字形を呈し、操作部１１の前記第１端に近接する箇所での下端とハンドル１２の上端との間に開口が形成されている。操作部１１の前記第１端に近接する箇所での下端とハンドル１２の上端との間は、連接片１３によって連接する。
【００２２】
押さえロッド２０は、前記第１端と前記第２端との繋ぎ線の方向に沿って操作部１１を挿通し、前記第１端に近接する一端は、シリコーン円筒７０内のシリコーンを押さえる。
【００２３】
押さえブロック３０は、操作部１１の内部に位置し、第１弾性部材３３の弾力を受けて前記第２端へ付勢され、第１貫通孔３１が形成されている。第１貫通孔３１の内径は、押さえロッド２０の外径より大きい。押さえロッド３０は第１貫通孔３１を挿通する。
押さえブロック３０は、第１弾性部材３３の反対側に押付け部を有する。前記押付け部は第１貫通孔３１の下方に位置する。本実施形態では、本体１０の操作部１１の前記第２端に近接する箇所に止め部材１４が設けられている。止め部材１４は押さえブロック３０の上端に押付ける。これにより、押さえブロック３０の上端は、第１弾性部材３３に過度に押さえられて前記第２端へ移動できない。
【００２４】
リンクセット４０は、前リンク４１と、後リンク４２と、押さえホイール４３と、を含む。後リンク４２の一端は操作部１１の前記第２端に近接する箇所に枢着されている。前リンク４１の一端は後リンク４２に枢着されている。押さえホイール４３は、前リンク４１と後リンク４２との枢着箇所に設けられている。前リンク４１の後リンク４２から離れる一端は、押さえブロック３０の前記押付け部に押付ける。
具体的には、前リンク４１の後リンク４２から離れる一端は横軸４１３を有する。押さえブロック３０の前記押付け部は溝３２である。横軸４１３は溝３２と嵌合する。前リンク４１と後リンク４２とは、開角を有する。前記開角の開口が上方に向く。後リンク４２は、枢着軸４２３を介して操作部１１の前記第２端に近接する箇所に枢着されている。本実施形態では、前リンク４１が、二つのサイド部４１１と、二つのサイド部４１１を連接するブリッジ部４１２と、から構成され、後リンク４２が、二つのサイド部４１２と、二つのサイド部４１２を連接するブリッジ部４２２と、から構成される。
【００２５】
トリガー５０は、一端が押圧端５１であり、他端が押さえ端５２である。押圧端５１は、押さえ端５２より操作部１１との距離が大きい。押さえ端５２は操作部１１に延び込む。押圧端５１と押さえ端５２との間の押さえ端５２に近接する箇所に操作部１１が枢着されている（本実施形態では、トリガー５０が連接片１３に枢着されている。）。
押さえ端５２は押さえホイール４３に押付ける。トリガー５０が押圧されて押さえホイール４３が上方へ押さえられるときに、枢着軸４２３と横軸４１３との間の距離が増加し、前リンク４１と後リンク４２との開角が増大する。トリガー５０が押圧されないときには、前記開角が９０〜１２０度範囲である。
【００２６】
規制部材６０は、本体１０の前記第２端の端部外に設けられており、条件により押さえロッド２０の前記第２端への引きを制限する。本実施形態では、規制部材６０が第２貫通孔６１を有し、押さえロッド２０が第２貫通孔６１を挿通する。第２貫通孔６１の内径は、押さえロッド２０の外径より大きい。規制部材６０と操作部１１との間に第２弾性部材６２が挟まれている。規制部材６０は、上端が本体１０に規制され、下端が揺動可能である。第２弾性部材６２により、規制部材６０の下端が付勢されて本体１０から離れる。
規制部材６０の下端が本体１０へ押圧されないときに、第２貫通孔６１は押さえロッド２０に対して傾斜し、押さえロッド２０が第２貫通孔６１に規制される。規制部材６０の下端が本体１０へ押圧されると、図６に示すように、第２貫通孔６１の押さえロッド２０に対する傾斜度が減少して、押さえロッド２０が第２貫通孔６１に規制されなくなる。規制部材６０の第２貫通孔６１は、本体１０に近接する開口の内径が本体１０から離れる開口の内径より大きく、規制部材６０が押圧されないときに、押さえロッド２０は、押さえブロック３０に駆動されて前記第１端へ移動し、前記第２端へ移動できないことが好ましい。押さえロッド２０は、第１弾性部材３３と第２弾性部材６２とを挿通する。これにより、第１弾性部材３３が第１貫通孔３１の周りに押付け、第２弾性部材６２が第２貫通孔６１の周りに押付ける。
【００２７】
トリガー５０の押圧端５２がハンドル１２へ押圧されるときには、図５に示すように、押さえ端５２が押さえホイール４３を上方へ押さえる。これにより、前リンク４１は、押さえブロック３０の前記押付け部を前記第１端へ押さえて、押さえブロック３０の押さえロッド２０に対する傾斜度が増加して、押さえロッド２０が第１貫通孔３１に位置決められる。
トリガー５０をもっと押圧すると、押さえブロック３０がもっと前記第１端へ移動して、押さえロッド２０が駆動されて前記第１端へ移動する。これにより、シリコーン円筒７０内のシリコーンが前方へ押し出される。押さえロッド２０が前方へ限界まで押さえられたと、図６に示すように、規制部材６０を押圧して、押さえロッド２０を前記第２端へ引き戻すことにより、押さえロッド２０を初期位置に回復させ可能である。
【００２８】
（第２の実施形態）
図７から図９を参照する。本実施形態では、押さえホイールの代わりに押さえ片４４を採用する。押さえ片４４は、一端が前リンク４１と後リンク４２との枢着箇所に枢着されており、他端がトリガー５０の押さえ端５２に枢着されている。トリガー５０が押圧されたと、押さえ端５２により押さえ片４４が上方へ移動して、前リンク４１と後リンク４２との枢着箇所が上方へ移動して、ひいては第１の実施形態に類似する作動が行われることにより、押さえロッド２０が前方へ移動可能である。
【００２９】
本発明に係るシリコーンガンによれば、リンク同士の間の消耗を無くすことが可能なため、省力化することが可能であり、リンクの数量が極めて少なく、リンクの連接構造が簡単であるため、製造及び組付けが容易となり、故障率を減少可能であり、長期間に利用されても、劣化しない。
【００３０】
なお、本発明は前記実施の形態に限定されるものではなく、本発明の趣旨に基づいて種々変形させることが可能であり、それらを本発明の範囲から排除するものではない。
【００３１】
本発明は、シリコーンガンに適用することができる。
【符号の説明】
【００３２】
１０    本体
１１    操作部
１２    ハンドル
１３    連接片
１４    止め部材
２０    押さえロッド
３０    押さえブロック
３１    第１貫通孔
３２    溝
３３    第１弾性部材
４０    リンクセット
４１    前リンク
４２    後リンク
４３    押さえホイール
４４    押さえ片
５０    トリガー
５１    押圧端
５２    押さえ端
６０    規制部材
６１    第２貫通孔
６２    第２弾性部材
７０    シリコーン円筒
４１１  サイド部
４１２  ブリッジ部
４１３  横軸
４２１  サイド部
４２２  ブリッジ部
４２３  枢着軸
【図１】
2017154045.tif 000003
【図２】
2017154045.tif 000004
【図３】
2017154045.tif 000005
【図４】
2017154045.tif 000006
【図５】
2017154045.tif 000007
【図６】
2017154045.tif 000008
【図７】
2017154045.tif 000009
【図８】
2017154045.tif 000010
【図９】
2017154045.tif 000011